(57)【要約】【課題】  未使用時には折り畳み、使用時にはワンタッチで袋の着脱が容易に行える容器の要らない折畳める袋の保持スタンドを提供する。  【解決手段】角形材で、上部に切欠５を設けた左右縦枠と上下横枠で構成する四角形の外枠１と内枠２を内設して平行とＸ字状立設に回動可能に軸着し、上横枠はＸ字状立設状態において水平となるように一定の角度をつけて一方は片側縦枠上部に固着し、他方は他方片側縦枠上部にローラーキャッチで連結する。下横枠は上横枠と同角度で一方は片側縦枠下部に固着し、他方は片側下部に蝶着し、外枠１と内枠２の軸着下部の両側面をチェーン１０で連結してなることを特徴とする折畳める袋の保持スタンド。【選択図】図１
2008013183.tif 000002
【特許請求の範囲】
【請求項１】
角形材で、上部に切欠を設けた左右縦枠と上下横枠で構成する四角形の外枠と内枠を内設して平行とＸ字状立設に回動可能に軸着し、上横枠はＸ字状立設状態において水平となるように一定の角度をつけて一方は片側縦枠上部に固着し、他方は他方片側縦枠上部にローラーキャッチで連結する。下横枠は上横枠と同角度で一方は片側縦枠下部に固着し、他方は片側下部に蝶着し、外枠と内枠の軸着下部の両側面をチェーンで連結してなることを特徴とする折畳める袋の保持スタンド。
【請求項２】
Ｘ字上に立設し袋装着状態で、内枠の下横枠内側に、外枠の下横枠内側に橋絡する任意の形状の袋受けを蝶着したことを特徴とする請求項１に記載の折畳める袋の保持スタンド。
【請求項３】
Ｘ字状に立設し袋装着状態で、外枠と内枠の上面を覆う平板の4辺の裏面周囲に外枠と内枠の横枠外側に当接する当接枠と連結枠設け、平板を後蓋と前蓋に任意の位置で二分割して蝶着し、後蓋を当接枠に固着したことを特徴とする請求項１乃至２に記載の折畳める袋の保持スタンド。
【請求項４】
構成する主要部材を木製としたことを特徴とする請求項１〜３に記載の折畳める袋の保持スタンド。
【請求項５】
構成する主要部材を化成品で成形としたことを特徴とする請求項１〜３に記載の折畳める袋の保持スタンド。
【発明の詳細な説明】
【技術分野】
【０００１】
折り畳んで平行と開いてＸ字状に立設する外枠と内枠で構成する四角形の枠の上部に、袋の開口部をワンタッチで装着し、袋が物で充満した状態でも容易にとり外すことができる容器の要らない折畳める袋の保持スタンドに関する。
【背景技術】
【０００２】
本発明者は、平形材で左右縦枠と上下横枠を直角に成形し左右縦枠の上部にゴミ袋装着用の切欠を設けた四角形の内枠と外枠を内設して折り畳みとＸ字状で回動と係止すると共に、外枠と内枠の縦枠片側下部を蝶着し、上横枠中間を分断して掛止と解除により蝶着した片側の外枠と内枠の縦枠片側を外側に倒せることが出来る容器の要らない袋の保持スタンドを提案している。
【特許文献１】特願２００４−３４９２７４
【発明の開示】
【発明が解決しようとする課題】
【０００３】
解決しようとする問題点は、袋の保持スタンドに袋を装着したＸ字状立設状態において平形材の上下横枠が左右縦枠と直角に成形されている為に外側に向かって傾斜するので袋の装着度と上面と下面の安定度が低いこと、又、ゴミが入った袋を取り出す際に両上枠中間の係止解除が迅速に行えないこと、更に、外枠と内枠の縦枠を外側に倒す為の蝶着が縦枠の下部であるので安定性が悪く加工部分が多い等の点である。
【０００４】
更に、使用場所によっては要求される下部の袋受けと上部の蓋が構造上簡単に設けることが出来ない点である。  
【課題を解決するための手段】
【０００５】
角形材で、上部に切欠を設けた左右縦枠と上下横枠で構成する四角形の外枠と内枠を内設して平行とＸ字状立設に回動可能に軸着し、上横枠はＸ字状立設状態において水平となるように一定の角度をつけて一方は片側縦枠上部に固着し、他方は他方片側縦枠上部にローラーキャッチで連結する。下横枠は上横枠と同角度で一方は片側縦枠下部に固着し、他方は片側下部に蝶着し、外枠と内枠の軸着下部の両側面をチェーンで連結してなる。
【０００６】
Ｘ字状に立設し袋装着状態で内枠の下横枠内側に、外枠の下横枠内側に橋絡する任意の形状の袋受けを蝶着してなる。
【０００７】
Ｘ字状に立設し袋装着状態で、外枠と内枠の上面を覆う平板の4辺の裏面周囲に外枠と内枠の横枠外側に当接する当接枠と連結枠設け、平板を後蓋と前蓋に任意の位置で二分割して蝶着し、後蓋を当接枠に固着してなる。
【発明の効果】
【０００８】
本発明の折畳める袋の保持スタンドは、未使用時には外枠と内枠が内設して平行に折り畳むことができ、使用時にはＸ字状に立設するが外枠と内枠を連結するチェーンが袋を装着した時の開き寸法より若干広くなるように設定しておくことにより、袋の開口部を外枠と内枠の切欠に装着する作業が容易に行える。この時に外枠と内枠は袋の開口部の張力によって立設し外内枠の上下面は水平となり安定した状態で立設する。又、物が入った袋の取り出しは片側両縦枠上部のローラーキャッチを解除すればチェーンが作用して立設状態を保ったままで下部が片側両横枠と蝶着しているので外側に倒れ物が充満した袋でも容易に取り出すことができ、復元も両縦枠を起こしてローラーキャッチの入り部を受け部に嵌めこむだけでよい。
【０００９】
使用場所によって袋受け又は蓋を必要とする場合、袋受けは内枠下面に外枠内側に橋絡する縦袋受けを左右に蝶着し中間を横袋受けで連結する。従って、折り畳み時には回動して内枠に平行にできる。蓋は後蓋と前蓋に任意の位置で二分割して蝶着し、裏面の四辺周囲に外枠と内枠の外側端部に当接させる両当接枠と連結枠を設け、後蓋のみ両当接枠に固着する。従って、前蓋は開閉できるので衛生的であり見た目もよい。更に、両当接枠は外枠と内枠の外側に開く力を抑止するので蓋の上が物置台としても活用できる。
【００１０】
未使用時には外枠と内枠が回動して一体となるので持ち運びが容易であり、使用時はワンタッチ感覚で設置と袋の装着が行えるので屋内、屋外を問わずあらゆる場所で使用でき撤去も簡単に行える。又、袋が容器を兼用するので投入物が多く入り透明か半透明を使用すれば内容物が外から確認できるので安全性が高く管理もしやすい。
【００１１】
スタンドの大きさは袋の寸法により決まる。従って、通常市販されている容量４５Ｌ，７０Ｌ、９０Ｌの袋及び土嚢袋等それぞれの袋に合わせて設計、製作する。
【００１２】
主要部材に環境に優しい木材を使用すれば、加工が容易で軽量、資源の有効利用にもなり、更に、表面に人と環境に優しく作業性に優れた天然木材保護塗料プラネットカラーを使用すればより効果的である。又、化成品等の成形材で大量生産すれば安価にて提供することができる。
【発明を実施するための最良の形態】
【００１３】
左右縦枠と上下横枠で構成する四角形で内設して軸着で一体と回動する外枠と内枠それぞれの上下横枠を左右縦枠がX字状で立設した状態で水平となるように形成し、両横枠の一方は片側縦枠の上下に固着し他方の上部は他方縦枠にローラーキャッチで連結し下部は蝶着する。この時、両縦枠の上部には上横枠と同じく水平となる切欠を設け，外枠と内枠が一定寸法以上開かないように軸着付近下部をチェーンで連結する。
【００１４】
下面に袋受けが必要な場合には、内枠の下面内側にX状に開いた時に外枠下面に橋絡する袋受けを内枠の下横枠に回動可能に軸着する。
【００１５】
上面に蓋を必要とする場合には、任意の位置で二分割した後蓋と前蓋を蝶着し、裏面周囲に当接枠と連結枠を設け後蓋のみ当接枠に固着する。
【実施例】
【００１６】
以下、本発明の実施例を図面に基づいて説明する。図１は、本発明に係わる折畳める袋の保持スタンドの斜視図である。Ｘ字状に立設した状態で上下の枠が平行の外枠１と内枠２の上部両側に切欠５を設け、片側上部をローラーキャチ受け６とローラーキャッチ入り７及び外れ防止用カバー９で連結と係止させ下部は枠用蝶番８で蝶着した四角形の外枠１と内枠２を回転可能に軸３と軸受け４で軸着し、チェーン１０で外枠１と内枠２の側面を連結して一定以上開かないようにする。
【００１７】
図２は、折畳める袋の保持スタンドを折畳んだ状態の平面図である。外枠１と内枠２の上下の枠は折畳んだ状態ではＡ−Ａ断面及びＣ−Ｃ断面にあらわすように互いに傾斜して角部が当接するので反対方向には開かず外枠１と内枠２が平行となる。
【００１８】
図３は、折畳める袋の保持スタンに袋Ａを装着した正面図である。あらかじめ外枠１と内枠２を開いておくが、この場合チェーン１０の連結寸法はゴミ袋Ａを切欠５へ装着した場合の外枠１と内枠２の開いた寸法より若干大きく設定しておく。
【００１９】
図４は、袋Ａを取り出す時ローラーキャッチを解除した斜視図である。袋Ａを折畳める袋の保持スタンドに装着してゴミ類が投入されるとＸ字状の外枠１と内枠２が圧迫されて袋Ａは容易に取り出せないがローラーキャッチを解除すれば枠用蝶番８を介して外枠１と内枠２の片側縦枠が外側に倒れるので袋Ａは簡単に取り出すことができる。この時にはチェーン１０が作用して外枠１と内枠２が必要以上に開くのを防止する。取り出した後は外枠１と内枠２を起こしてローラーキャッチを復元すればよく以上の一連の作業はワンタッチ感覚で行える。
【００２０】
図５は、折畳める袋の保持スタンドの下面に袋受けを、上面に開閉できる蓋を設けた斜視図である。袋受けは、内枠２の下横枠内側に縦袋受け２１を袋受用蝶番２３で蝶着し横袋受け２２で連結する。従って、外枠と内枠を折畳んだ時には縦袋受け２１と横袋受け２２は袋受用蝶番２３により回動して内枠２に平行にすることが出来る。尚、形状は本図以外の格子，平板、受け皿等使用目的により各種用いればよい。蓋は、後蓋２４と取手２９付の前蓋２５の表面をテープ２８で蝶着し、裏面周囲に当接枠２６と連結枠２７を設け後蓋２４は当接枠２６のみに固着する。従って、保持スタンドに袋Ａを装着した後、蓋をすれば前蓋２５は取手２９により開閉ができ、当接枠２６が外枠１と内枠２の上横枠側面に当接するので袋Ａがより強固に保持されると共に立設した保持スタンドが開くのを抑止し耐垂直荷重も増すので後蓋２４の上は物置台を兼用できる。尚、後蓋２４と前蓋２５の二分割寸法は使用目的によって設定すればよいし蝶着は本図以外、蝶番、伸縮材等蝶着できる物であれば何であってもよい。
【図面の簡単な説明】
【００２１】
【図１】折畳める袋の保持スタンドの斜視図である。
【図２】折畳める袋の保持スタンドの折畳んだ平面図である。
【図３】折畳める袋の保持スタンドの袋を装着した正面図である。
【図４】折畳める袋の保持スタンドのローラーキャッチを解除した斜視図である。
【図５】折畳める袋の保持スタンドの袋受けと蓋を設けた斜視図である。
【符号の説明】
【００２２】
１  外枠                          ２１  縦袋受け
２  内枠                          ２２  横袋受け
３  軸                            ２３  袋受用蝶番
４  軸受け                        ２４  後蓋
５  切欠                          ２５  前蓋
６  ローラーキャッチ受け          ２６  当接枠                      
７  ローラーキャッチ入り          ２７  連結枠                
８  枠用蝶番                      ２８  テープ
９  外れ防止用カバー              ２９  取手
１０  チェーン                        Ａ  袋
【図１】
2008013183.tif 000003
【図２】
2008013183.tif 000004
【図３】
2008013183.tif 000005
【図４】
2008013183.tif 000006
【図５】
2008013183.tif 000007